(57)【要約】      （修正有）【課題】組立ておよび管理が容易であって、使用時に組立てることができ、汎用性を有する段ボール製の緩衝体を提供する。【解決手段】段ボールを切断線と半切線とによって互いに交互に逆方向に折曲げ、これによって板状部を互いに重合わせ、分割線のところで分割した後にさらに切断線のところで分割することによって、各分割部分が直角２等辺３角形状の受け部３０と、この直角２等辺３角形状の受け部３０の互いに直交する２辺にそれぞれ折曲げ線３１、３２を介して連設される受け部３３、３４とを備え、受け部３３、３４を受け部３０に対して折曲げ線３１、３２で互いに直交するように折曲げ、しかも受け部３３の係合用凹部３７を受け部３４の係合用突部３８と係合させて３つの受け部３０、３３、３４が互いに直交した状態を保持する。【選択図】図９
2005112400.tif 000002
【特許請求の範囲】
【請求項１】
段ボールを互いにほぼ平行な複数の折曲げ部分のところで交互に逆方向に折畳んで重合わせて組立てられる包装用緩衝体において、
互いに直角に折曲げられる３つの受け部と、
前記３つの受け部が互いに直角に折曲げられた状態で保持する係合手段と、
を具備する包装用緩衝体。
【請求項２】
段ボールを折曲げて組立てられる包装用緩衝体において、
前記段ボールの段目の方向と交差する方向に延びる切断線と一方のライナのみが連結される半切線とを互いにほぼ平行であって前記段目の方向に沿って交互に形成するとともに、前記切断線を連結片によって部分的に連結し、
さらに前記切断線および半切線と交差する分割線を前記段ボールの段目の方向とほぼ平行に形成し、
前記段ボールの前記切断線と前記半切線と前記分割線とによって囲まれる領域に折曲げ線によって互いに直角に折曲げられる３つの受け部を形成し、
前記段ボールを前記切断線と前記半切線のところで交互に逆方向に折畳んで重合わせ、前記分割線によって複数個に分割し、前記折曲げ線によって折曲げて互いに直角な３つの受け部を連結して設けたことを特徴とする包装用緩衝体。
【請求項３】
前記３つの受け部の内の１つの受け部の互いに直交する２辺にそれぞれ他の２つの受け部が折曲げ可能に連設されるとともに、前記他の２つの受け部の互いに直角に交わる位置に前記係合手段が設けられることを特徴とする請求項５に記載の包装用緩衝体。
【請求項４】
前記３つの受け部の内の１つの受け部が直角２等辺３角形状であって、その互いに直交する２辺にそれぞれ前記他の２つのほぼ直角３角形状の受け部が折曲げ可能に連設されることを特徴とする請求項１〜請求項３の何れかに記載の包装用緩衝体。
【請求項５】
前記直角２等辺３角形状の受け部の互いに直交する２辺以外の１辺が段ボールの段目の方向とほぼ平行であることを特徴とする請求項１〜請求項４の何れかに記載の包装用緩衝体。
【請求項６】
前記切断線と前記半切線と前記分割線とによって囲まれる領域をさらに別の分割線によって分割し、該別の分割線によって分割された領域によって所定の形状に組立てることを特徴とする包装用緩衝体。
【発明の詳細な説明】
【技術分野】
【０００１】
本発明は包装用緩衝体に係り、とくに段ボールを折曲げて組立てられる包装用緩衝体に関する。
【背景技術】
【０００２】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に発泡スチロール樹脂の緩衝体を配し、外部からの衝撃を上記緩衝体によって吸収し、これによって物品を衝撃から保護するようにしている。
【０００３】
従来のこのような発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで自然崩壊性を有する段ボールを用いて緩衝体を組立てることが提案されている。段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
ところが段ボールから成る緩衝体は、任意の形状に形成することが困難である。すなわち発泡スチロール樹脂から成る緩衝体は、その発泡成形の際に用いる金型のキャビティの形状によって任意の緩衝体を得ることが可能になる。ところが段ボールから成る緩衝体は、平面状をなす段ボールを折畳んで組立てるために、複雑な形状に形成することができない。従って複数の緩衝体を段ボールによって別々に製作するとともに、これらを互いに組合わせることによって複雑な形態の構造に対応している。
【０００６】
従ってこのような複数の段ボールから成る緩衝体の組立て体は、部品点数が増加するとともに、組立ての工数を要し、これによって緩衝体のコストが増大する欠点がある。
【０００７】
また物品を緩衝した状態で包装する場合には、単一の緩衝体では足りず、複数の緩衝体を必要とする。従って複数の緩衝体を互いに別々に段ボールによって打抜いて折畳んで組立てるようにすると、緩衝体の種類が非常に増加するとともに、それらの複数の種類の緩衝体の管理が面倒になり、場合によっては装着する際に誤って別の緩衝体を装着する可能性がある。
【０００８】
【特許文献１】特開平６−７１４７４号公報
【特許文献２】特開平３−１１４７７０号公報
【特許文献３】特開平８−２５５８号公報
【特許文献４】特開平８−３０１２７号公報
【特許文献５】実開平６−４４７５７号公報
【発明の開示】
【発明が解決しようとする課題】
【０００９】
本願発明の課題は、汎用性を有し、各種の物品の緩衝のために広く用いることができる包装用緩衝体を提供することである。
【００１０】
本願の別の課題は、自動的に組立てることが可能であって、これによって安価に提供できる包装用緩衝体を提供することである。
【００１１】
本願発明のさらに別の課題は、複数個を同時に製作することが可能な包装用緩衝体を提供することである。
【００１２】
本願のさらに別の課題は、個々の緩衝体の緩衝効果を任意に設定することが可能な包装用緩衝体を提供することである。
【００１３】
本願発明のさらに別の課題は、組立てが容易であってしかも管理が面倒でない包装用緩衝体を提供することである。
【課題を解決するための手段】
【００１４】
本願の主要な発明は、段ボールを互いにほぼ平行な複数の折曲げ部分のところで交互に逆方向に折畳んで重合わせて組立てられる包装用緩衝体において、
互いに直角に折曲げられる３つの受け部と、
前記３つの受け部が互いに直角に折曲げられた状態で保持する係合手段と、
を具備する包装用緩衝体に関するものである。
【００１５】
本願の別の主要な発明は、段ボールを折曲げて組立てられる包装用緩衝体において、
前記段ボールの段目の方向と交差する方向に延びる切断線と一方のライナのみが連結される半切線とを互いにほぼ平行であって前記段目の方向に沿って交互に形成するとともに、前記切断線を連結片によって部分的に連結し、
さらに前記切断線および半切線と交差する分割線を前記段ボールの段目の方向とほぼ平行に形成し、
前記段ボールの前記切断線と前記半切線と前記分割線とによって囲まれる領域に折曲げ線によって互いに直角に折曲げられる３つの受け部を形成し、
前記段ボールを前記切断線と前記半切線のところで交互に逆方向に折畳んで重合わせ、前記分割線によって複数個に分割し、前記折曲げ線によって折曲げて互いに直角な３つの受け部を連結して設けたことを特徴とする包装用緩衝体に関するものである。
【００１６】
ここで前記３つの受け部の内の１つの受け部の互いに直交する２辺にそれぞれ他の２つの受け部が折曲げ可能に連設されるとともに、前記他の２つの受け部の互いに直角に交わる位置に前記係合手段が設けられることが好ましい。また前記３つの受け部の内の１つの受け部が直角２等辺３角形状であって、その互いに直交する２辺にそれぞれ前記他の２つのほぼ直角３角形状の受け部が折曲げ可能に連設されることが好ましい。また前記直角２等辺３角形状の受け部の互いに直交する２辺以外の１辺が段ボールの段目の方向とほぼ平行であることが好ましい。  本願のさらに別の主要な発明は、前記切断線と前記半切線と前記分割線とによって囲まれる領域をさらに別の分割線によって分割し、該別の分割線によって分割された領域によって所定の形状に組立てることを特徴とする包装用緩衝体に関するものである。
【発明の効果】
【００１７】
本願の主要な発明は、互いにほぼ平行な複数の折曲げ部分のところで交互に逆方向に折畳んで重合わせて組立てられるようにした包装用緩衝体であって、互いに直角に折曲げられる３つの受け部と、上記３つの受け部が互いに直角に折曲げられた状態で保持する係合手段とを有するものである。従って連続する段ボールを折畳んで包装用緩衝体を組立てることが可能になり、折畳まれる枚数によってその緩衝効果が任意に調整できるようになる。
【００１８】
本願の別の主要な発明は、段ボールを折曲げて組立てられる包装用緩衝体において、段ボールの段目の方向と交差する方向に延びる切断線と一方のライナのみが連結される半切線とを互いにほぼ平行であって段目の方向に沿って交互に形成するとともに、切断線を連結片によって部分的に連結し、さらに切断線および半切線と交差する分割線を段ボールの段目の方向とほぼ平行に形成し、段ボールの切断線と半切線と分割線とによって囲まれる領域に折曲げ線によって互いに直角に折曲げられる３つの受け部を形成し、段ボールを切断線と半切線のところで交互に逆方向に折畳んで重合わせ、分割線によって複数個に分割し、折曲げ線によって折曲げて互いに直角な３つの受け部を連結して設けたものである。
【００１９】
従ってこのような包装用緩衝体によれば、段ボールを切断線と半切線のところで交互に逆方向に折畳んで重合わせ、分割線によって複数個に分割し、折曲げ線によって折曲げて直角な３つの受け部を連結することによって、包装用緩衝体が得られるようになり、単一の段ボールを折畳んで複数の緩衝体を同時に組立てることが可能になる。
【００２０】
なお実開平６−４４７５７号公報に開示されている構造は、１つずつの緩衝体パッドを打抜かれた段ボールを重合わせて作るようになっているのに対し、本願の上記の発明によれば、連続してつながった状態で複数のパッドを作ることが可能になる。しかも最初の段ボールの切断線と半切線のところで交互に段ボールを折曲げて組立てることができるために、機械で予め折畳んで重合わせて作製し、緩衝体に組立てる前の状態で輸送することが可能になり、このためにコストが低減できるばかりでなく、緩衝体の管理が容易になる利点がある。さらに交互に折畳まれる板状体の数を変更することによって、緩衝体を構成する段ボールの枚数や厚さを任意に設定するとともに、緩衝効果を任意に調整することが可能になる。
【発明を実施するための最良の形態】
【００２１】
以下本願に含まれる発明を図示の実施の形態によって説明する。図１は本実施の形態に係る包装用緩衝体を組立てるための段ボール１０を展開して示したものであって、この段ボール１０はほぼ長方形の形状をなし、横長であって互いにほぼ同一形状をなす板状部１１、１２、１３、１４をこれらの順に互いに連結した構造になっている。すなわち板状部１１〜１４は段ボール１０の段目と直交するように形成された２本の切断線１５と１本の半切線１６とによってそれぞれ横長に区画されたものであって、しかもこれらの切断線１５および半切線１６と直角に交差するように分割線１７が形成されている。この分割線１７によって板状部１１〜１４を左右に２分割するようになっている。
【００２２】
次に上記段ボール１０の切断線１５の形状について説明すると、図２に示すように切断線１５を横切るように一対の切込み２０が形成され、これらの切込み２０によって切断線１５が遮断されて連結部２１が形成される。なお切込み２０はその両端が互いに離間するように広がった形状になっている。そして連結部２１の両端からやや離れた位置にそれぞれ切込み２２が形成されている。
【００２３】
これに対して半切線１６は図３に示すように、この段ボールの一方のライナのみを結合したものである。段ボール１０は両側のライナ２５、２６を中芯２７を挟むようにして接合した構造をなしており、半切線１６の位置においては一方のライナ２５のみが連結されており、他方のライナ２６と中芯２７とが切断されている。そしてライナ２５の部分が内側に重なるようにして半切線１６が折曲げられる。
【００２４】
段ボール１０の板状部１１〜１４の分割線１７によって分割される左右の領域は図１に示すように、さらにその中心部に斜めに配置された矩形の切断線３５と、この矩形の切断線３５の上下に連続するＬ字状の切断線３６とによってさらに２分割されるようになっている。そしてこれらの切断線３５、３６によって区画される左右の領域にはそれぞれ直角２等辺３角形状の受け部３０が配される。この受け部３０は互いに直角に交差する２辺以外の１辺が上記段ボール１０の段目の方向と平行であって図１において縦方向に延びる。
【００２５】
そして受け部３０の互いに直角な２辺にはそれぞれ折曲げ線３１、３２が連設されるとともに、これらの折曲げ線３１、３２によってほぼ直角３角形状をなす受け部３３、３４が形成される。しかも上記矩形の切断線３５とＬ字状の切断線３６とによって、一方の直角３角形状の受け部３３の１辺には係合用凹部３７が形成される。これに対して他方の受け部３４には係合用突部３８が形成される。これらの係合用凹部３７と係合用突部３８とは、受け部３３、３４が互いに直交するように組立てられるときに互いに係合される。
【００２６】
また段ボール１０の板状部１１の上側の部分には直角２等辺３角形状の大きな切込み４１と、直角２等辺３角形状の小さな切込み４２とが形成される。また切断線１５と半切線１６にはそれぞれ正方形の大きな開口４３と正方形の小さな開口４４とがそれぞれ形成される。
【００２７】
次にこのような段ボール１０によって包装用緩衝体を組立てる動作を説明する。段ボール１１〜１４の所定の位置に予め澱粉糊等の接着手段を接合しておくことが好ましい。このような状態で段ボール１０を図４に示すように、切断線１５および半切線１６のところで互いに逆方向に交互に折曲げる。そしてこの後に板状部１１〜１４を図５に示すように重合わせる。これによって段ボール１０は図１に示す大きな形状から板状部１１〜１４の大きさと同じ大きさになる。
【００２８】
次いで重合わされた段ボール１０を図６に示すように分割する。すなわちまず板状部１１〜１４をその左右の中心部において分割する分割線１７のところで左右に２分割する。さらに２分割された後に、左右の部分のそれぞれ中間位置に形成されている矩形の切断線３５とその上下のＬ字状の切断線３６とによって左右の部分をさらに２分割する。なおこのときに切断線３５によって囲まれた矩形のピースが除去される。なお切断線３５で囲まれる矩形の領域は予め切断して除去しておいてもよい。このようにして段ボール１０を折曲げることにより、図７に示す形状に分割される。この形状は直角２等辺３角形状の受け部３０の互いに直交する２辺にそれぞれ折曲げ線３１、３２を介して受け部３３、３４がそれぞれ連設された形状である。そしてほぼ直角３角形状の受け部３３、３４の側端には係合用凹部３７と係合用突部３８とが形成される。
【００２９】
次に図７に示す形状に分割された段ボール１０を用いて緩衝体を組立てる動作を図８および図９によって説明する。段ボール１０は上述の如く直角２等辺３角形の受け部３０を備えており、その互いに直交する２辺には折曲げ線３１、３２を介して受け部３３、３４が形成されている。従って折曲げ線３１、３２の内の一方、例えば折曲げ線３２によって受け部３０に対して受け部３４を直角に折曲げる（図８参照）。
【００３０】
そしてこの後に図９に示すように、今度はもう一方の折曲げ線３１によって受け部３０に対して受け部３３を直角に折曲げる。なお受け部３３、３４の折曲げの動作は、必ずしも受け部３４を先にする必要がなく、受け部３３を先に行なってもよい。受け部３３、３４をともに受け部３０に対して折曲げ線３１、３２によってそれぞれ直角に折曲げたならば、受け部３３の係合用凹部３７に受け部３４の係合用突部３８を図９に示すように係合させる。これによって受け部３０、３３、３４が互いに直交するように組立てられるとともに、係合用凹部３７と係合用突部３８との係合によって、受け部３０、３３、３４は図９に示すように互いに直角に交わった形態を保持する。
【００３１】
このような包装用緩衝体５０は例えば図１０に示すような物品５１の緩衝に用いられる。すなわちこのような包装用緩衝体５０を物品５１の底面側および上面側の８つのコーナの部分にそれぞれ装着することによって、物品５０を緩衝することができる。なお図１０においては物品５１の底面および上面をそれぞれ包装用緩衝体５０の受け部３０の内表面によって受けるようにしているが、必ずしも物品５１の底面と上面とを受け部３０によって受ける必要はなく、受け部３３、３４の何れかによって受けるようにしてもよい。すなわち包装用緩衝体５０の使用する際の姿勢については任意に変更可能である。
【００３２】
直方体状をなす物品５１を図１０に示すようにそのコーナの部分を包装用緩衝体５０によって受けた状態で包装箱内に収納することによって、外部からの衝撃をこの包装用緩衝体５０が吸収するために、物品５１が保護され、物流段階における物品５１の損傷が確実に防止される。しかもこのような包装用緩衝体５０は、物品５１の互いに直交する３つの面を有するコーナの部分を包装用緩衝体５０によって受けるものであるから、コーナの部分が直交する３面を有する各種の物品の緩衝に広く適用可能である。すなわち物品５１の大きさや多少の形状の相違等にかかわらず包装用緩衝体５０を用いて緩衝することができる。従って極めて汎用性の高い包装用緩衝体になる。
【００３３】
またこのような包装用緩衝体５０は、図１に示す単一の段ボールを折畳んで分割することによって、同時に４つの包装用緩衝体が得られる。ここで図１に示す段ボール１０の幅を２倍にすることによって、単一の段ボール１０によって８個の緩衝体５０を同時に得ることができる。従ってこのことから、緩衝体５０の組立てが容易になるとともに、その管理も容易になる。なお実際に使用する前の段階においては、図５に示す形態で供給し、使用する際に図６に示すように分割して図８および図９に示すように組立てればよい。すなわち使用時に容易に組立てることが可能になる。
【００３４】
以上本願に含まれる発明を図示の実施の形態によって説明したが、本願に含まれる発明は上記実施の形態によって限定されることなく、本願に含まれる発明の技術的思想の範囲内で各種の変更が可能である。例えばこの包装用緩衝体５０を組立てるための板状部１１〜１４の枚数や、具体的な形状等については目的や要求される緩衝性能に応じて各種の変更が可能である。
【産業上の利用可能性】
【００３５】
本願発明に係る包装用緩衝体は、発泡スチロール樹脂製の緩衝体の代替物として、物流段階に供される物品の緩衝のために広く利用可能である。
【図面の簡単な説明】
【００３６】
【図１】包装用緩衝体を構成する段ボールの展開平面図である。
【００３７】
【図２】段ボールに形成される切断線の要部拡大平面図である。
【００３８】
【図３】段ボールに形成される半切線の要部拡大断面図である。
【００３９】
【図４】段ボール１０の折畳み動作を示す斜視図である。
【００４０】
【図５】折畳まれた状態の段ボール１０の外観斜視図である。
【００４１】
【図６】分割の動作を示す要部平面図である。
【００４２】
【図７】分割されたそれぞれの部分を示す要部平面図である。
【００４３】
【図８】包装用緩衝体を組立てる動作を示す外観斜視図である。
【００４４】
【図９】組立てられた包装用緩衝体の拡大斜視図である。
【００４５】
【図１０】直方体状をなす物品の緩衝に用いる状態を示す要部斜視図である。
【符号の説明】
【００４６】
１０‥‥段ボール、１１〜１４‥‥板状部、１５‥‥切断線、１６‥‥半切線、１７‥‥分割線、２０‥‥切込み、２１‥‥連結部、２２‥‥切込み、２５、２６‥‥ライナ、２７‥‥中芯、３０‥‥受け部、３１、３２‥‥折曲げ線、３３、３４‥‥受け部、３５‥‥切断線（矩形）、３６‥‥切断線（Ｌ字状）、３７‥‥係合用凹部、３８‥‥係合用突部、４１、４２‥‥切込み（直角２等辺３角形）、４３、４４‥‥開口（正方形）、５０‥‥包装用緩衝体、５１‥‥物品
【図１】
2005112400.tif 000003
【図２】
2005112400.tif 000004
【図３】
2005112400.tif 000005
【図４】
2005112400.tif 000006
【図５】
2005112400.tif 000007
【図６】
2005112400.tif 000008
【図７】
2005112400.tif 000009
【図８】
2005112400.tif 000010
【図９】
2005112400.tif 000011
【図１０】
2005112400.tif 000012